(57)【特許請求の範囲】
【請求項１】
密閉容器の内部に電動機と、潤滑油溜り部と、この電動機で駆動する圧縮機構を配設し、前記圧縮機構を、固定鏡板の上に固定渦巻羽根を形成した固定渦巻羽根部品と、前記固定渦巻羽根と噛み合い複数個の圧縮室を形成する旋回渦巻羽根を旋回鏡板の上に形成した旋回渦巻羽根部品と、この旋回渦巻羽根部品の自転を防止して旋回のみをさせる自転拘束部品と、前記渦巻羽根部品を駆動するクランク軸と、このクランク軸を横方向に回転自在に支承する軸受け部品とで構成し、前記クランク軸内に貫通孔を設け、前記圧縮機構の吐出気体を前記クランク軸および前記電動機を含む空間に吐出させ、前記旋回鏡板の前記旋回渦巻羽根と反対側の鏡板背面に、前記クランク軸に設けた偏心駆動係合部に係合してこの旋回渦巻羽根部品を旋回駆動する旋回駆動係合部を設け、前記旋回鏡板背面の前記旋回駆動係合部の外側と中心部に仕切る摺動仕切環を配設し、この内側に形成される内側室と圧縮室とを連通させる絞り装置を有する給油通路を前記旋回渦巻羽根部品に設け、前記クランク軸の前記旋回駆動係合部の反対側端部にポンプまたは給油管を設け、前記ポンプまたは給油管の一端は前記クランク軸貫通孔に連通するとともに、他端が前記潤滑油溜り部に開口したスクロール圧縮機において、前記自転拘束部品と前記旋回渦巻羽根部品とを異種材料、前記自転拘束部品と前記軸受け部品とを同種材料の組み合わせとし、前記自転拘束部品と前記軸受け部品との摺動部を上下方向に配置し、前記旋回渦巻羽根部品に設けた前記絞り装置を有する給油通路を前記自転拘束部品の上側摺動部近傍に開口して設けたことを特徴とする横置きスクロール圧縮機。
【請求項２】
旋回渦巻羽根部品に設けた前記絞り装置を有する給油通路を旋回渦巻羽根部品の旋回方向に対して自転拘束部品の上側摺動部の前方に開口して設けたことを特徴とした請求項１記載の横置きスクロール圧縮機。
【請求項３】
冷媒としてＨＦＣ、潤滑油としてエステル油を使用することを特徴とした請求項１または２記載の横置きスクロール圧縮機。
【発明の詳細な説明】
【０００１】
【発明の属する技術分野】
本発明は空気調和装置等に使用されるスクロール圧縮機に関するものである。
【０００２】
【従来の技術】
従来の横置きスクロール圧縮機の全体構成図を図４に示す。１０１は駆動用電動機であり、クランク軸１０２に回転動力を与える。クランク軸１０２の一端にはクランク軸１０２の中心に対し偏心して設けられた旋回駆動係合部１０３が配設され、その旋回駆動係合部１０３内を旋回渦巻羽根部品１０４の旋回駆動軸１０５が旋回する。旋回渦巻羽根部品１０４は自転拘束部品１０６により自転運動が阻止されており、軸受部品１０７により回転自在に支承されたクランク軸１０２の回転とともに旋回運動を行う。
【０００３】
旋回渦巻羽根部品１０４が旋回すると、固定渦巻羽根と旋回渦巻羽根間の圧縮室１０８が羽根の外周から中心部に移動し、その容積を減じ、圧縮室１０８内の圧力が上昇し中心部から吐出される。この場合、旋回渦巻羽根部品１０４が旋回するにしたがって、圧縮室１０８は漸次中心部に移動し、容積を減少しながら圧縮作用を行っている。
【０００４】
各部の潤滑を行っている潤滑油は、クランク軸１０２の回転によって駆動されるトロコイドポンプ１０９またはそれに代わる給油管により潤滑油溜り部１１０からクランク軸１０２内を貫通するクランク軸貫通孔１１１に供給され、摺動部の潤滑を行い、一部は旋回渦巻羽根部品１０４の下方に設けた絞り装置１１２を通り自転拘束部品１０６および旋回渦巻羽根部品１０４と固定渦巻羽根部品１１３のスラスト面の潤滑を行っている。
【０００５】
【発明が解決しようとする課題】
しかしながら、横置型スクロール圧縮機の場合、旋回渦巻羽根部品１０４に設けた絞り装置を通った潤滑油は重力の影響により下方に集まってしまい、上方の自転拘束部品１０６の摺動部に潤滑油が廻りにくいという問題点があった。
【０００６】
そのため同種材料である自転拘束部品１０６と軸受け部品１１３との上方の摺動部において、摩擦による損失が大きくなり圧縮機の効率が低下し、また焼き付き発生の要因ともなっていた。
【０００７】
また、ＨＦＣ冷媒とエステル油の雰囲気中においては、従来のＨＣＦＣ冷媒と鉱油の雰囲気中に比べ、摺動部分の潤滑性が著しく低下するため、焼き付き発生がさらに起こりやすくなっていた。
【０００８】
本発明は、上記従来の課題を解決するもので、横置型スクロール圧縮機で問題であった自転拘束部品１０６と軸受け部品１１３との上方の摺動部への潤滑油の給油不足を解消し、高効率かつ高信頼性のスクロール圧縮機を提供することを目的とするものである。
【０００９】
【課題を解決するための手段】
上記課題を解決するために本発明のスクロール圧縮機は、旋回渦巻羽根部品に設けた絞り装置を有する給油通路を自転拘束部品と軸受け部品との上側摺動部近傍に開口して設ける構成としたものである。
【００１０】
また、旋回渦巻羽根部品に設けた絞り装置を有する給油通路を旋回渦巻羽根部品の旋回方向に対して自転拘束部品と軸受け部品との上側摺動部の前方に開口して設ける構成としたものである。
【００１１】
【発明の実施の形態】
本発明の請求項第１項にかかる作用は、上記のごとき構成にしたことにより、旋回渦巻羽根部品に設けた絞り装置を通った潤滑油が上方の自転拘束部品と軸受け部品との摺動部に廻り易くなり、同摺動部での摩擦による損失を減らすことができる。また、上方の自転拘束部品の摺動部の潤滑を行った潤滑油は重力により下方に集まり、下方の自転拘束部品と軸受け部品との摺動部の潤滑も円滑に行われる。
【００１２】
本発明の請求項第２項にかかる作用は、自転拘束部品の圧縮作用中の反力が働いている側の摺動部に潤滑油がより多く供給されるために請求項第１項にかかる作用がさらに効果的になることである。
【００１３】
【実施例】
まず、本発明の請求項第１項記載の実施例を図面とともに説明する。
【００１４】
図１は本発明のスクロール圧縮機の一実施例の縦断面図で、図２は要部拡大図である。密閉容器１の内部に圧縮機構２とこれを駆動する電動機３の固定子４を固定し、電動機３の固定子５に圧縮機構２を駆動するクランク軸６を結合し、密閉容器１の圧縮機構２の周囲を潤滑油溜り部７とする。圧縮機構２は、固定鏡板８に一体に形成した固定渦巻羽根９を有する固定渦巻羽根部品１０と、固定渦巻羽根９と噛み合って複数個の圧縮室１１を形成する旋回渦巻羽根１２を旋回鏡板１３の上に形成した旋回渦巻羽根部品１４と、旋回渦巻羽根部品１４の自転を防止して旋回のみをさせる自転拘束部品１５と、旋回鏡板１３の旋回渦巻羽根１２の反対側に設けた旋回駆動軸１６と、クランク軸６の主軸１７の内方に設けこの旋回駆動軸１６が嵌入する偏心軸受け１８と、このクランク軸６の主軸１７を支承する主軸受け１８を有する軸受け部品１９と、旋回鏡板１３の背面の旋回鏡板１３から微少な間隔の隙間をおいて旋回渦巻羽根部品１４の軸方向の動きを制限する軸方向移動制限平板３２を有する平面板部品３３を配置する。
【００１５】
ここで、自転拘束部品１５と軸受け部品１９との摺動部を上下方向に配置する。
【００１６】
この平面板部品３３に、旋回鏡板１３の背面にかかる気体圧力を中心部にかかる吐出圧力と旋回鏡板１３の外周にかかる吐出圧力よりも低い圧力とに仕切る摺動仕切り環３４を配設する。圧縮機の吸入管２０から吸入した冷媒気体は、圧縮機構２の吸い込み口２１から圧縮機構２に入り、圧縮室１４で圧縮され、吐出口２２から、吐出室２３、固定鏡板８外周に設けた吐出通路２４、軸受部品１９に設けた吐出通路２５を通り電動機３と圧縮機構２の間の吐出室２６に吐出され、この吐出冷媒気体は、電動機周辺通路２７を通り、吐出管２８から圧縮機の外に導かれる。一方、潤滑油はトロコイドポンプ２９により強制給油されクランク軸貫通孔３０を通り各部の潤滑を行い、一部は旋回渦巻羽根部品１４に設けた自転拘束部品１５の上側摺動部近傍に開口する絞り装置３５を通り自転拘束部品１５と軸受部品１９との上方摺動部を潤滑し、さらに重力により下方に集まった潤滑油は自転拘束部品１５と軸受部品１９との下方摺動部を潤滑する。
【００１７】
ここで、旋回渦巻羽根部品１４の材料をアルミ、自転拘束部品１５および軸受け部品１９の材料を鉄系とする。
【００１８】
次に、請求項第２項記載の実施例について図面とともに説明する。図３は請求項第２項記載の実施例の要部拡大図である。旋回渦巻羽根部品１４に設けた絞り装置３５を旋回渦巻羽根部品１４の旋回方向に対して自転拘束部品１５と軸受け部品１９との上側摺動部の前方に開口するよう設け、自転拘束部品１５の圧縮作用中の反力が働いている側の摺動部に潤滑油がより多く供給されるようにし、請求項第１項記載の実施例をさらに効果的なものにしている。
【００１９】
【発明の効果】
本発明の請求項第１項にかかる効果は、旋回渦巻羽根部品に設けた絞り装置を有する給油通路を自転拘束部品の上側摺動部近傍に開口して設ける構成にしたことにより、旋回渦巻羽根部品に設けた絞り装置を通った潤滑油が上方の自転拘束部品と軸受け部品との摺動部に廻り易くなり、横置型スクロール圧縮機で問題点であった同種材料からなる自転拘束部品と軸受け部品との上方摺動部の潤滑不具合が解消され、高効率かつ高信頼性のスクロール圧縮機を提供できることである。
【００２０】
本発明の請求項第２項にかかる効果は、旋回渦巻羽根部品に設けた絞り装置を有する給油通路を旋回渦巻羽根部品の旋回方向に対して自転拘束部品の上側摺動部の前方に開口して設けた構成にすることにより、自転拘束部品の圧縮作用中の反力が働いている側の摺動部に潤滑油がより多く供給されるために請求項第１項にかかる効果がさらに効果的になることである。
【００２１】
また、摺動部の潤滑性が著しく低下する、ＨＦＣ冷媒とエステル油の雰囲気中においても摺動部へ十分に給油できるため、高効率かつ高信頼性のスクロール圧縮機を提供できる。
【図面の簡単な説明】
【図１】本発明のスクロール圧縮機の一実施例の縦断面図
【図２】同要部拡大図
【図３】同要部拡大図
【図４】従来のスクロール圧縮機の縦断面図
【符号の説明】
１  密閉容器
２  圧縮機構
３  電動機
６  クランク軸
７  潤滑油溜り部
８  固定鏡板
９  固定渦巻羽根
１０  固定渦巻羽根部品
１１  圧縮室
１２  旋回渦巻羽根
１３  旋回鏡板
１４  旋回渦巻羽根部品
１５  自転拘束部品
１６  旋回駆動軸
２９  トロコイドポンプ
３０  クランク軸貫通孔
３４  摺動仕切り環
３５  絞り装置
【図１】
0003608275.tif 000002
【図２】
0003608275.tif 000003
【図３】
0003608275.tif 000004
【図４】
0003608275.tif 000005